(57)【要約】【課題】  ベッドからの寝具の落下を防止し、かつ、就寝時の快適性を向上させ得るサイドサポート及びこのサイドサポートが取り付けられたベッドを提供する。【解決手段】  寝台面１ｂを有するベッド１の側面１ａに取り付けられるサイドサポート２である。サイドサポート２は、平面状の第１面３ａを有するサポート本体３を含んでいる。サポート本体３は、第１面３ａが寝台面１ｂの延長上に位置するように着脱自在に取り付けられている。【選択図】  図１
0003219880.tif 000002
【実用新案登録請求の範囲】
【請求項１】
寝台面を有するベッドの側面に取り付けられるサイドサポートであって、
平面状の第１面を有するサポート本体を含み、
前記サポート本体は、前記第１面が前記寝台面の延長上に位置するように着脱自在に取り付けられる、
サイドサポート。
【請求項２】
前記サポート本体は、軟質合成樹脂で形成される、請求項１に記載のサイドサポート。
【請求項３】
前記第１面が前記寝台面に平行となるように前記サポート本体を支持するホルダーを含み、
前記ホルダーは、前記第１面の前記寝台面に対する高さを変更自在に、前記サポート本体を支持する、請求項１又は２に記載のサイドサポート。
【請求項４】
前記サポート本体に固定されかつ前記第１面に直交する方向に延びるロッドを含み、
前記ホルダーは、前記ロッドが挿入される支持孔を有する、請求項３に記載のサイドサポート。
【請求項５】
前記ロッドは、前記サポート本体に対する固定位置が変更可能である、請求項４に記載のサイドサポート。
【請求項６】
請求項１ないし５のいずれかに記載のサイドサポートが取り付けられたベッドであって、
前記寝台面の長手方向に沿って延びる第１フレームを有し、
前記サイドサポートは、前記第１フレームに取り付けられる、
ベッド。
【請求項７】
複数の前記サイドサポートが、前記第１フレームに沿って離間して取り付けられる、請求項６に記載のベッド。
【請求項８】
複数の前記サイドサポートが、前記寝台面の幅方向の両側に取り付けられる、請求項６又は７に記載のベッド。
【請求項９】
複数の前記サイドサポートは、第１サイドサポートと、前記第１サイドサポートに対して前記サポート本体が対称形状である第２サイドサポートとを含む、請求項７又は８に記載のベッド。
【考案の詳細な説明】
【技術分野】
【０００１】
本考案は、ベッドの側面に取り付けられるサイドサポート及びこのサイドサポートが取り付けられたベッドに関する。
【背景技術】
【０００２】
従来、使用者がベッドで就寝するときに用いられる寝具の落下を防止する機能を有する手すりが知られている。例えば、下記特許文献１には、下半身側のベッドの幅方向の両側に、寝具の落下防止機能を有する手すりが固着された折畳みベッドが提案されている。
【先行技術文献】
【特許文献】
【０００３】
【特許文献１】特開２００８−２８９７９７号公報
【考案の概要】
【考案が解決しようとする課題】
【０００４】
しかしながら、特許文献１の折畳みベッドは、ベッドの寝台面に横たわる使用者が寝返りをしたときに使用者の足が手すりに不自然に接触することがあり、就寝時の快適性に問題があった。このため、手すりを用いることなく寝具の落下を防止することが求められていた。
【０００５】
本考案は、以上のような実状に鑑み案出されたもので、ベッドの寝具の落下を防止しかつ就寝時の快適性を向上させ得るサイドサポート及びこのサイドサポートが取り付けられたベッドを提供することを主たる目的としている。
【課題を解決するための手段】
【０００６】
本考案は、寝台面を有するベッドの側面に取り付けられるサイドサポートであって、平面状の第１面を有するサポート本体を含み、前記サポート本体は、前記第１面が前記寝台面の延長上に位置するように着脱自在に取り付けられることを特徴とする。
【０００７】
本考案に係るサイドサポートにおいて、前記サポート本体は、ウレタンで形成されるのが望ましい。
【０００８】
本考案に係るサイドサポートにおいて、前記第１面が前記寝台面に平行となるように前記サポート本体を支持するホルダーを含み、前記ホルダーは、前記第１面の前記寝台面に対する高さを変更自在に、前記サポート本体を支持するのが望ましい。
【０００９】
本考案に係るサイドサポートにおいて、前記サポート本体に固定されかつ前記第１面に直交する方向に延びるロッドを含み、前記ホルダーは、前記ロッドが挿入される支持孔を有するのが望ましい。
【００１０】
本考案に係るサイドサポートにおいて、前記ロッドは、前記サポート本体に対する固定位置が変更可能であるのが望ましい。
【００１１】
本考案は、上述のサイドサポートが取り付けられたベッドであって、前記寝台面の長手方向に沿って延びる第１フレームを有し、前記サイドサポートは、前記第１フレームに取り付けられるのが望ましい。
【００１２】
本考案に係るベッドにおいて、複数の前記サイドサポートが、前記第１フレームに沿って離間して取り付けられるのが望ましい。
【００１３】
本考案に係るベッドにおいて、複数の前記サイドサポートが、前記寝台面の幅方向の両側に取り付けられるのが望ましい。
【００１４】
本考案に係るベッドにおいて、複数の前記サイドサポートは、第１サイドサポートと、前記第１サイドサポートに対して前記サポート本体が対称形状である第２サイドサポートとを含むのが望ましい。
【考案の効果】
【００１５】
本考案のサイドサポートは、平面状の第１面を有するサポート本体を含んでいる。このようなサイドサポートは、第１面により使用者が就寝時に用いる寝具を保持することができるので、寝具の落下が防止され得る。
【００１６】
本考案のサイドサポートにおいて、サポート本体は、第１面が寝台面の延長上に位置するように着脱自在に取り付けられる。このようなサイドサポートは、使用者が寝返りをして使用者の手足が接触したとしても、第１面が寝台面の延長上に位置しているので不自然に接触することがなく、就寝時の快適性を向上させ得る。
【図面の簡単な説明】
【００１７】
【図１】本実施形態のベッドを示す斜視図である。
【図２】ベッドの部分側面図である。
【図３】ベッドのベースフレームの斜視図である。
【図４】サイドサポートの分解斜視図である。
【図５】サイドサポートの底面図である。
【図６】ホルダーの斜視図である。
【図７】他の実施形態のサイドサポートの分解斜視図である。
【図８】図７のサイドサポートの取付状態を示す底面側斜視図である。
【考案を実施するための形態】
【００１８】
以下、本考案の実施の一形態が図面に基づき説明される。
図１は、本実施形態のベッド１を示す斜視図である。図１に示されるように、ベッド１は、例えば、未使用時に折り畳むことができる折畳みベッドである。ベッド１は、折畳みベッドに限定されるものではなく、例えば、通常のベッドや介護用ベッドから適宜採用され得る。
【００１９】
本実施形態のベッド１は、その側面１ａにサイドサポート２が取り付けられている。ここで、本明細書において、ベッド１の側面１ａは、ベッド１が有している寝台面１ｂに直交する面である。この寝台面１ｂは、就寝時に使用者が横たわる面であり、ベッド１を使用するときに鉛直方向上側を向く面である。
【００２０】
本実施形態のサイドサポート２は、平面状の第１面３ａを有するサポート本体３を含んでいる。このようなサイドサポート２は、第１面３ａにより使用者が就寝時に用いる寝具（図示省略）を保持することができるので、寝具の落下が防止され得る。
【００２１】
図２は、ベッド１の部分側面図である。図１及び図２に示されるように、本実施形態のサポート本体３は、第１面３ａが寝台面１ｂの延長上に位置するように着脱自在に取り付けられる。このようなサイドサポート２は、使用者が寝返りをして使用者の手足が接触したとしても、第１面３ａが寝台面１ｂの延長上に位置しているので不自然に接触することがなく、就寝時の快適性を向上させ得る。また、このサイドサポート２は、着脱自在に取り付けられているので、サイドサポート２を使用しないときに簡単に取り外すことができる。
【００２２】
図３は、ベッド１のベースフレーム４の斜視図である。図３に示されるように、より好ましい態様として、ベッド１は、寝台面１ｂの長手方向に沿って延びる一対の第１フレーム４Ａと一対の第１フレーム４Ａを連結する第２フレーム４Ｂとを含むベースフレーム４を有している。ベッド１は、例えば、ベースフレーム４の上に、リクライニング機能及び足上げ機能の少なくとも一方を備えた昇降フレーム（図示省略）を有していてもよい。
【００２３】
サイドサポート２は、ベッド１の４方向の側面１ａのうち、第１フレーム４Ａに取り付けられるのが望ましい。本実施形態の第１フレーム４Ａは、サイドサポート２を取り付けるためのブラケット４ａを有している。このようなサイドサポート２は、寝台面１ｂの幅方向への寝具の落下を防止することができる。
【００２４】
図１に示されるように、ベッド１は、ベースフレーム４の上に載置されたマット５を有するのが望ましい。本実施形態のベースフレーム４は、平面視において、マット５の内側に位置している。本実施形態の寝台面１ｂは、マット５の上面として構成される。寝台面１ｂは、例えば、マット５の上に載置された使用者が横たわるための寝具（図示省略）の上面として構成されてもよい。
【００２５】
ベッド１は、例えば、複数のサイドサポート２が、第１フレーム４Ａに沿って離間して取り付けられる。このようなベッド１は、複数の位置、例えば、使用者が横たわったときの頭部側と足部側とで、寝具の落下を防止することができる。また、このベッド１が折畳みベッドである場合には、サイドサポート２を取り外すことなく折り畳むことができ、その作業性が良好である。
【００２６】
本実施形態のベッド１は、ベッド１の幅方向の側面１ａにおいて、サイドサポート２が取り付けられていないスペースＳを有している。このようなベッド１は、使用者がこのスペースＳの位置でベッド１から立ち上がることができ、また、介助が必要な場合もスペースＳに立って介助することができるので、通常の使用時にサイドサポート２を取り外す必要がない。
【００２７】
ベッド１は、例えば、複数のサイドサポート２が、寝台面１ｂの幅方向の両側に取り付けられる。このようなベッド１は、ベッド１の寝台面１ｂの幅方向の両側に対して、寝具の落下を防止することができる。
【００２８】
複数のサイドサポート２は、第１サイドサポート２Ａと、第１サイドサポート２Ａに対してサポート本体３が対称形状である第２サイドサポート２Ｂとを含むのが望ましい。本実施形態のサイドサポート２は、ベッド１に取り付けられたときに、スペースＳに向けてサポート本体３の幅が漸減するように取り付けられている。このようなサイドサポート２は、スペースＳへのアプローチが容易であり、介助が必要な場合もスムーズに介助することができる。
【００２９】
本実施形態のベッド１は、４つのサイドサポート２が取り付けられている。サイドサポート２は、例えば、２つの第１サイドサポート２Ａと２つの第２サイドサポート２Ｂとを含んでいる。サイドサポート２の数は、４つに限定されるものではなく、１つ以上有していればよい。
【００３０】
サイドサポート２は、例えば、寝台面１ｂの長手方向の足部側の側面１ａに取り付けられていてもよい。このようなサイドサポート２は、足部側への寝具の落下を防止することができる。なお、ベッド１がヘッドボードを有しない場合には、サイドサポート２が寝台面１ｂの長手方向の頭部側の側面１ａに取り付けられていてもよい。
【００３１】
図４は、サイドサポート２の分解斜視図である。図４に示されるように、本実施形態のサイドサポート２は、第１面３ａがベッド１の寝台面１ｂに平行となるようにサポート本体３を支持するホルダー６と、サポート本体３に固定されかつ第１面３ａに直交する方向に延びるロッド７とを含んでいる。このようなサイドサポート２は、ホルダー６とロッド７とによりサポート本体３が強固に支持され、サポート本体３に大きい荷重が作用しても変形するおそれがない。なお、サイドサポート２は、例えば、第１面３ａが寝台面１ｂに対して、±２０°以下の角度を有して取り付けられていてもよい。
【００３２】
サポート本体３は、例えば、発泡樹脂などの柔軟性を有する軟質合成樹脂で形成される。サポート本体３は、その表面を皮革又は織布により被覆されるのが望ましい。サポート本体３は、例えば、その内部に、硬質材料から形成される形状支持体を含んでいてもよい。本実施形態のサポート本体３は、全ての角部が円弧状に面取りされている。このようなサポート本体３は、使用者が接触したときのクッション性と強度とを両立させることができる。
【００３３】
図５は、サイドサポート２の底面図である。図５に示されるように、本実施形態のサポート本体３は、第１面３ａの反対側の面にロッド７を固定するための本体側取付孔３ｂを有している。本体側取付孔３ｂは、例えば、雌ネジが形成されている。このようなサポート本体３は、簡易な構成でロッド７を強固に固定することができる。
【００３４】
サポート本体３は、例えば、ロッド７の固定位置を変更することができるように複数の本体側取付孔３ｂを有している。サポート本体３は、例えば、ロッド７の固定位置を無段階に変更可能なレールが設けられていてもよい。このようなサポート本体３は、ロッド７に対する位置を使用状態に応じて適宜変更することができる。
【００３５】
図１及び図３に示されるように、ホルダー６は、第１フレーム４Ａに固定されるのが望ましい。本実施形態のホルダー６は、第１フレーム４Ａに設けられたブラケット４ａに固定されている。このようなホルダー６は、サイドサポート２を第１フレーム４Ａから離間した位置に保持することができ、平面視において第１フレーム４Ａがマット５の内側に位置する折畳みベッドであっても、サポート本体３をマット５の側方に保持することができる。
【００３６】
図４及び図５に示されるように、本実施形態のホルダー６は、ロッド７が挿入される支持孔６ａと、ホルダー６を第１フレーム４Ａに固定するための固定孔６ｂとを有している。本実施形態では、１つのホルダー６に２つの固定孔６ｂを有している。ホルダー６は、例えば、アルミなどの金属で形成される。このようなホルダー６は、ロッド７を第１フレーム４Ａから離間した位置で強固に支持することができる。また、このホルダー６は、ロッド７が挿入されることでサポート本体３を支持できるので、サポート本体３を着脱自在に支持することができる。
【００３７】
本実施形態のホルダー６は、第１ホルダー６Ａと、第１ホルダー６Ａに対して対称形状である第２ホルダー６Ｂとを含んでいる。第１ホルダー６Ａと第２ホルダー６Ｂとは、それぞれ、互いの外側に位置する傾斜面６ｃが第１フレーム４Ａから支持孔６ａに向けて傾斜している。このようなホルダー６は、サポート本体３を取り外したときに、使用者と干渉し難い。
【００３８】
図６は、ホルダー６の斜視図である。図５及び図６に示されるように、ホルダー６は、ブラケット４ａに当接する当接面６ｄと、当接面６ｄから第１フレーム４Ａ側に突出する突出部６ｅを有するのが望ましい。このようなホルダー６は、突出部６ｅがブラケット４ａと当接することで位置決めされ、第１フレーム４Ａへの取付作業がスムーズに行われ得る。また、このホルダー６は、固定孔６ｂが当接面６ｄの中央に位置しているので、第１フレーム４Ａに安定して強固に固定することができる。
【００３９】
ロッド７は、例えば、金属管で形成されるロッド本体７Ａと、金属板で形成される取付プレート７Ｂとを含んでいる。本実施形態では、２本のロッド本体７Ａが、１つの取付プレート７Ｂに溶接されている。このようなロッド７は、ロッド本体７Ａをホルダー６の支持孔６ａに差し込むことで、サポート本体３をベッド１に簡単に取り付けることができる。
【００４０】
本実施形態の取付プレート７Ｂは、サポート本体３に取り付けられるためのプレート側取付孔７ａを有している。ロッド７は、例えば、サポート本体３に取付プレート７Ｂが固定部材（図示省略）により螺着されることで固定されている。ロッド７は、サポート本体３に対する固定位置が変更可能であるのが望ましい。このようなロッド７は、サポート本体３に対する取付プレート７Ｂの取付位置を変更することで、サポート本体３を使用状態に応じた位置に保持することができる。
【００４１】
図７は、他の実施形態のサイドサポート１０の分解斜視図である。上述の実施形態と同一の構成は、同一の符号が付され、その説明が省略される。図７に示されるように、この実施形態のサイドサポート１０は、第１面３ａを有するサポート本体３と、サポート本体３を支持するホルダー１１と、サポート本体３に固定されるロッド１２とを含んでいる。
【００４２】
この実施形態のホルダー１１は、ロッド１２が挿入される支持孔１１ａと、ホルダー１１をベースフレーム４に固定するための固定孔１１ｂとを有している。支持孔１１ａは、ロッド１２の挿入方向に延びる支持部１１ｃの内側に形成されるのが望ましい。
【００４３】
ホルダー１１は、第１フレーム４Ａに設けられた孔４ｂに固定孔１１ｂを介して固定部材（図示省略）を螺着することにより第１フレーム４Ａに固定されるのが望ましい。固定孔１１ｂは、例えば、固定孔１１ｂを有する部分を長くして、第１フレーム４Ａよりも下方の位置に設けられていてもよい。この場合、ホルダー１１は、第１フレーム４Ａを挟み込むことで固定され得る。このようなホルダー１１は、第１フレーム４Ａに孔４ｂを設ける必要がなく、また、第１フレーム４Ａに対する固定位置を無段階で変更することができる。
【００４４】
図８は、図７のサイドサポート１０の取付状態を示す底面側斜視図である。図８に示されるように、ホルダー１１は、第１面３ａの寝台面１ｂに対する高さを変更自在にサポート本体３を支持するのが望ましい。サポート本体３の高さは、例えば、ロッド１２の支持部１１ｃに対する支持位置を変更することで決定される。このようなホルダー１１は、使用者がマット５の上に横たわる場合と、マット５の上に寝具を載置して横たわる場合とに対応して、サポート本体３の高さを調整することができる。
【００４５】
この実施形態の支持部１１ｃは、ロッド１２の挿入方向に延びるスリット１１ｄが設けられている。ロッド１２の支持位置は、例えば、ロッド１２に設けられたロッド固定孔１２ａにスリット１１ｄを介して固定部材（図示省略）を螺着することにより変更される。このようなホルダー１１は、簡易な構成でロッド１２の支持位置を変更することができる。なお、ロッド１２の支持位置の変更は、上述の態様に限定されるものではなく、従来周知の種々の手段が適宜採用され得る。
【００４６】
図７及び図８に示されるように、ホルダー１１は、例えば、寝台面１ｂの長手方向において、支持孔１１ａと固定孔１１ｂとが同じ位置である第１ホルダー１１Ａと、支持孔１１ａと固定孔１１ｂとが異なる位置である第２ホルダー１１Ｂとを含んでいる。第２ホルダー１１Ｂは、サポート本体３の幅が漸減する位置に固定されるのに適した形状を有するのが望ましい。このようなホルダー１１は、サポート本体３の幅が小さい端部を支持することができる。
【００４７】
図７に示されるように、ロッド１２は、例えば、金属棒で形成されるロッド本体１２Ａと、金属板で形成される取付プレート１２Ｂとを含んでいる。本実施形態では、１本のロッド本体１２Ａが、１つの取付プレート１２Ｂに溶接されている。このようなロッド１２は、ロッド本体１２Ａをホルダー１１の支持孔１１ａに差し込むことで、サポート本体３をベッド１に取り付けることができる。
【００４８】
この実施形態のロッド本体１２Ａは、ロッド１２の支持位置を決定するためのロッド固定孔１２ａが設けられている。ロッド固定孔１２ａには、例えば、雌ネジが形成されている。このようなロッド１２は、簡易な構成でその支持位置を変更することができる。
【００４９】
上述の実施形態のベッド１は、平面視においてベースフレーム４がマット５の内側に位置する折畳みベッドについて説明されたが、ベッド１は、例えば、第１フレーム４Ａがマット５の側方に位置するものであってもよい。この場合、ホルダー６の支持孔６ａは、第１フレーム４Ａに設けられるのが望ましい。
【００５０】
以上、本考案の特に好ましい実施形態について詳述したが、本考案は図示の実施形態に限定されることなく、種々の態様に変形して実施し得る。
【符号の説明】
【００５１】
１    ベッド
１ａ  側面
１ｂ  寝台面
２    サイドサポート
３    サポート本体
３ａ  第１面
【図１】
0003219880.tif 000003
【図２】
0003219880.tif 000004
【図３】
0003219880.tif 000005
【図４】
0003219880.tif 000006
【図５】
0003219880.tif 000007
【図６】
0003219880.tif 000008
【図７】
0003219880.tif 000009
【図８】
0003219880.tif 000010